(57)【要約】【課題】  印象的な映像効果を有する動画像を含む動画像データを容易に作成することができる撮像装置を提供する。【解決手段】  被写体からの光を撮像する撮像素子６と、被写体の動き情報を検出する動き情報検出部２５と、動き情報検出部より検出される被写体の動き情報に基づいて、撮像素子からの撮像信号に基づく区間動画像を記録する記録時間、及び区間動画像を記録しない記録停止時間の少なくとも一方を設定する時間設定部４と、時間設定部による設定に基づいて、記録時間分の区間動画像の記録及び記録停止時間における区間動画像の記録停止を繰り返し、繰り返し記録された複数の区間動画像を順次連結させて形成される動画像を含む動画像データを作成する動画像データ作成部４とを備える。【選択図】  図１
2011103642.tif 000002
【特許請求の範囲】
【請求項１】
被写体からの光を撮像する撮像素子と、
前記被写体の動き情報を検出する動き情報検出部と、
前記動き情報検出部より検出される前記被写体の動き情報に基づいて、前記撮像素子からの撮像信号に基づく区間動画像を記録する記録時間、及び前記区間動画像を記録しない記録停止時間の少なくとも一方を設定する時間設定部と、
前記時間設定部による設定に基づいて、前記記録時間分の前記区間動画像の記録及び前記記録停止時間における前記区間動画像の記録停止を繰り返し、繰り返し記録された複数の前記区間動画像を順次連結させて形成される動画像を含む動画像データを作成する動画像データ作成部と、
を備えることを特徴とする撮像装置。
【請求項２】
前記時間設定部は、前記被写体の動き情報に基づく前記被写体の移動速度の増大に応じて前記記録時間を短くし、前記被写体の移動速度の減少に応じて前記記録時間を長くすることを特徴とする請求項１記載の撮像装置。
【請求項３】
前記時間設定部は、前記被写体の動き情報に基づく前記被写体の移動速度の増大に応じて前記記録停止時間を短くし、前記被写体の移動速度の減少に応じて前記記録停止時間を長くすることを特徴とする請求項１または請求項２記載の撮像装置。
【請求項４】
前記動き情報検出部は、前記被写体の動き情報として前記被写体の撮影画面に対する大きさを検出し、
前記時間設定部は、前記動き情報検出部により検出された前記被写体の撮影画面に対する大きさに基づいて、前記記録時間及び前記記録停止時間の少なくとも一方を設定することを特徴とする請求項１〜請求項３の何れか一項に記載の撮像装置。
【請求項５】
前記動画像を撮影している間に、前記被写体からの光を前記撮像素子に導く撮影レンズの焦点距離情報を所定時間間隔で取得する焦点距離情報取得部を備え、
前記動き情報検出部は、前記焦点距離情報取得部により取得された前記焦点距離情報に基づいて、前記被写体の動き情報を検出することを特徴とする請求項１〜請求項３の何れか一項に記載の撮像装置。
【請求項６】
前記被写体の撮影画面に対する大きさを検出する大きさ検出部を備え、
前記時間設定部は、前記大きさ検出部により検出される前記被写体の撮影画面に対する大きさが所定値以上の場合には、前記記録停止時間を０に設定することを特徴とする請求項１〜請求項３の何れか一項に記載の撮像装置。
【請求項７】
前記区間動画像の記録と記録停止とを繰り返す回数を設定する回数設定部を備え、
前記時間設定部は、前記記録時間及び前記記録停止時間が前記回数設定部により設定された前記回数分経過した後から前記動画像データ作成部により作成される前記動画像データに基づく動画像の記録終了までの間、または前記動画像の記録開始から第１回目の前記記録時間及び前記記録停止時間が開始するまでの間、前記記録停止時間を０に設定することを特徴とする請求項１〜請求項３の何れか一項に記載の撮像装置。
【請求項８】
前記時間設定部は、前記区間動画像の記録と記録停止とを繰り返す時間であって予め設定される第１所定時間が経過した後から前記動画像データ作成部により作成される前記動画像データに基づく動画像の記録終了までの間、または前記動画像の記録開始から予め設定される第２所定時間が経過するまでの間、前記記録停止時間を０に設定することを特徴とする請求項１〜請求項３の何れか一項に記載の撮像装置。
【請求項９】
前記撮像素子からの撮像信号に基づく動画像を記憶する動画像記憶部と、
前記動き情報検出部により検出された前記被写体の動き情報を記録する動き情報記録部と、を備え、
前記時間設定部は、前記記録部に記録されている前記動き情報に基づいて、前記記録時間及び前記停止時間の少なくとも一方を設定し、
前記動画像データ作成部は、前記時間設定部による設定及び前記動画像記憶部に記憶されている前記動画像に基づいて、前記動画像データを作成することを特徴とする請求項１〜請求項８の何れか一項に記載の撮像装置。
【請求項１０】
動画像を表示する表示部を備え、
前記動き情報検出部は、記録媒体に記録されている所定動画像データに基づく所定動画像内の主要被写体の動き情報を検出し、
前記時間設定部は、前記動き情報検出部により検出された前記主要被写体の動き情報に基づいて、前記所定動画像を形成する複数のフレーム画像のうちの少なくとも１枚のフレーム画像から形成される所定区間動画像を前記表示部に表示する表示時間、及び前記所定区間動画像を前記表示部に表示しない非表示時間の少なくとも一方を設定し、
前記表示部は、前記時間設定部による設定に基づいて、前記表示時間分の複数の前記所定区間動画像を、前記所定区間動画像が記録された時間順に連結させて表示することを特徴とする請求項１〜請求項９の何れか一項に記載の撮像装置。
【請求項１１】
記録媒体に記録されている動画像データに基づく動画像内の被写体の動き情報を検出する動き情報検出部と、
前記動き情報検出部により検出される前記被写体の動き情報に基づいて、前記動画像を形成する複数のフレーム画像のうちの少なくとも１枚のフレーム画像から形成される区間動画像を表示部に表示する表示時間、及び前記区間動画像を前記表示部に表示しない非表示時間の少なくとも一方を設定する時間設定部と、
前記時間設定部による設定に基づいて、前記表示時間分の複数の前記区間動画像を、前記区間動画像が記録された時間順に連結させて前記表示部に表示する表示制御部と、
を備えることを特徴とする画像処理装置。
【請求項１２】
前記時間設定部は、前記被写体の動き情報に基づく前記被写体の移動速度の増大に応じて前記表示時間を短くし、前記被写体の移動速度の減少に応じて前記表示時間を長くすることを特徴とする請求項１１記載の画像処理装置。
【請求項１３】
前記時間設定部は、前記被写体の動き情報に基づく前記被写体の移動速度の増大に応じて前記非表示時間を短くし、前記被写体の移動速度の減少に応じて前記非表示時間を長くすることを特徴とする請求項１１または請求項１２記載の画像処理装置。
【請求項１４】
前記動き情報検出部は、前記被写体の動き情報として前記被写体の前記フレーム画像に対する大きさを検出し、
前記時間設定部は、前記動き情報検出部により検出された前記被写体の前記フレーム画像に対する大きさに基づいて、前記表示時間及び前記非表示時間の少なくとも一方を設定することを特徴とする請求項１１〜請求項１３の何れか一項に記載の画像処理装置。
【請求項１５】
前記動き情報検出部は、前記動画像データに撮影情報として付加されている撮影レンズの焦点距離情報、及び前記複数のフレーム画像が記録された記録時間に基づいて、前記被写体の動き情報を検出することを特徴とする請求項１１〜請求項１３の何れか一項に記載の画像処理装置。
【請求項１６】
前記被写体の前記フレーム画像に対する大きさを検出する大きさ検出部を備え、
前記時間設定部は、前記大きさ検出部により検出される前記被写体の前記フレーム画像に対する大きさが所定値以上の場合には、前記非表示時間を０に設定することを特徴とする請求項１１〜請求項１３の何れか一項に記載の画像処理装置。
【請求項１７】
前記区間動画像の表示と非表示とを繰り返す回数を設定する回数設定部を備え、
前記時間設定部は、前記表示時間及び前記非表示時間が前記回数設定部により設定された前記回数分経過した後から前記動画像が終了するまでの間、または前記動画像が開始してから第１回目の前記表示時間及び前記非表示時間が開始するまでの間、前記非表示時間を０に設定することを特徴とする請求項１１〜請求項１３の何れか一項に記載の画像処理装置。
【請求項１８】
前記時間設定部は、前記区間動画像の表示と非表示とを繰り返す時間であって予め設定される第１所定時間が経過した後から前記動画像が終了するまでの間、または前記動画像が開始してから予め設定される第２所定時間が経過するまでの間、前記非表示時間を０に設定することを特徴とする請求項１１〜請求項１３の何れか一項に記載の画像処理装置。
【発明の詳細な説明】
【技術分野】
【０００１】
本発明は、動画像を記録可能な撮像装置及び動画像を生成可能な画像処理装置に関するものである。
【背景技術】
【０００２】
所定の時間間隔で自動的に撮影された複数の画像データを記録媒体に順次記録する機能を有しており、複数の画像データの中の１つの画像データについて、撮影から記録媒体への記録までに要する時間を算出し、算出された時間に基づいて選択可能な所定の時間間隔の範囲を判定し、判定結果に基づいてユーザーが所定の時間間隔を設定することができる撮像装置が提案されている（例えば、特許文献１参照）。
【先行技術文献】
【特許文献】
【０００３】
【特許文献１】特許第４２７７８３７号公報
【発明の概要】
【発明が解決しようとする課題】
【０００４】
しかしながら、上述の従来技術では、所定の時間間隔で自動的に撮影する動画像において、被写体の動きに応じて効果的かつ印象的な動画像を得るための時間間隔を設定することができなかった。
【０００５】
ところで、動画像を撮影する場合において、連続的に動いている被写体が不連続的に移動しているように変化する動画像等のような、印象的な映像効果を有する動画像を簡単に取得可能な技術が所望されている。しかしながら、上述のような印象的な映像効果を有する動画像を、使用者がビデオカメラ等を手動操作して撮影しようとした場合には高度な操作技術を要していた。
【０００６】
本発明の目的は、印象的な映像効果を有する動画像を含む動画像データを容易に作成することができる撮像装置及び画像処理装置を提供することである。
【課題を解決するための手段】
【０００７】
本発明は以下のような解決手段により上記課題を解決する。なお、理解を容易にするために、本発明の実施の形態に対応する符号を付して説明するが、本発明はこれに限定されるものではない。
【０００８】
本発明の撮像装置は、被写体からの光を撮像する撮像素子（６）と、前記被写体の動き情報を検出する動き情報検出部（２５）と、前記動き情報検出部（２５）より検出される前記被写体の動き情報に基づいて、前記撮像素子（６）からの撮像信号に基づく区間動画像を記録する記録時間、及び前記区間動画像を記録しない記録停止時間の少なくとも一方を設定する時間設定部（４）と、前記時間設定部（４）による設定に基づいて、前記記録時間分の前記区間動画像の記録及び前記記録停止時間における前記区間動画像の記録停止を繰り返し、繰り返し記録された複数の前記区間動画像を順次連結させて形成される動画像を含む動画像データを作成する動画像データ作成部（４）とを備えることを特徴とする。
【０００９】
また、本発明の画像処理装置は、記録媒体（１８）に記録されている動画像データに基づく動画像内の被写体の動き情報を検出する動き情報検出部（２５）と、前記動き情報検出部（２５）により検出される前記被写体の動き情報に基づいて、前記動画像を形成する複数のフレーム画像のうちの少なくとも１枚のフレーム画像から形成される区間動画像を表示部（２０）に表示する表示時間、及び前記区間動画像を前記表示部（２０）に表示しない非表示時間の少なくとも一方を設定する時間設定部（４）と、前記時間設定部（４）による設定に基づいて、前記表示時間分の複数の前記区間動画像を、前記区間動画像が記録された時間順に連結させて前記表示部（２０）に表示する表示制御部（４）とを備えることを特徴とする。
【発明の効果】
【００１０】
本発明の撮像装置及び画像処理装置によれば、印象的な映像効果を有する動画像を含む動画像データを容易に作成することができる。
【図面の簡単な説明】
【００１１】
【図１】実施の形態に係る電子カメラのシステム構成を示すブロック図である。
【図２】実施の形態に係る電子カメラにおいて動画像を撮影する際の処理について説明するためのフローチャートである。
【図３】実施の形態に係る表示部の表示例を示す図である。
【図４】実施の形態に係る表示部の表示例を示す図である。
【図５】実施の形態に係る表示部の表示例を示す図である。
【図６】第１の実施の形態に係る電子カメラにおいて動画像を撮影する際の処理について説明するためのフローチャートである。
【図７】動画像の撮影及び動画像ファイルの作成について説明するための図である。
【図８】撮影する動画像の例を示す図である。
【図９】記録停止時間と被写体の移動速度との関係を示すグラフである。
【図１０】撮影する動画像の例を示す図である。
【図１１】第２の実施の形態に係る電子カメラにおいて動画像を撮影する際の処理について説明するためのフローチャートである。
【図１２】第２の実施の形態に係る表示部の表示例を示す図である。
【図１３】動画像の撮影及び動画像ファイルの作成について説明するための図である。
【図１４】動画像の撮影及び動画像ファイルの作成について説明するための図である。
【図１５】動画像の撮影及び動画像ファイルの作成について説明するための図である。
【図１６】第４の実施の形態に係る電子カメラにおいてシナリオ動画を作成及び再生する際の処理について説明するためのフローチャートである。
【図１７】第４の実施の形態に係る電子カメラにおいてシナリオ動画を作成及び再生する際の処理について説明するための図である。
【発明を実施するための形態】
【００１２】
以下、図面を参照して、本発明の第１の実施の形態に係る撮像装置としての電子カメラについて説明する。なお、この実施の形態に係る電子カメラは、レンズ交換式の電子カメラであって、図示しない撮影レンズが装着されているものとして説明するが、レンズ一体式の電子カメラであってもよい。また、この実施の形態においては、静止画像及び動画像が撮影可能な電子カメラを例に挙げて説明するが、動画像のみ撮影可能な電子カメラであってもよい。
【００１３】
図１は、第１の実施の形態に係る電子カメラ２のシステム構成を示すブロック図である。図１に示すように、電子カメラ２は、マイクロプロセッサ等により構成され、電子カメラ２の各部を統括的に制御する制御部４を備えている。制御部４は、例えば特開２００９−８９１４４号公報記載のように、後述する撮像素子６の一部にＡＦ（オートフォーカス）用画素が埋め込まれており、このＡＦ用画素を用いて瞳分割位相差検出方式によるオートフォーカスを行う。具体的には、図示しないレンズ駆動部を介して図示しないフォーカスレンズを光軸方向に移動させることによりフォーカス位置を調節する。
【００１４】
制御部４には、撮像素子６、アンプ・Ａ／Ｄ変換部８、動画用バッファメモリ１２、静止画用バッファメモリ１４、音声用バッファメモリ１６、記録媒体１８、表示部２０、スピーカ２２、操作部２４、動き情報検出部２５、及び大きさ情報検出部２６が接続されている。撮像素子６は、ＣＣＤまたはＣＭＯＳ等により構成され、図示しない撮影レンズを介した被写体からの光を撮像して撮像信号を制御部４に対して出力する。アンプ・Ａ／Ｄ変換部８は、マイク１０により集音された電子カメラ２周辺の音声のアナログ信号をデジタル信号に変換し、変換された音声のデジタル信号を制御部４に対して出力する。
【００１５】
動画用バッファメモリ１２は、撮像素子６からの撮像信号に基づき作成され、制御部４内の図示しない縮小回路を介することにより動画像用の解像度にリサイズ（解像度大から小へ）された動画像データを一時的に記憶する。静止画用バッファメモリ１４は、撮像素子６からの撮像信号に基づき作成された静止画像データを一時的に記憶する。音声用バッファメモリ１６は、アンプ・Ａ／Ｄ変換部８から出力された音声のデジタル信号に基づき作成された音声データを一時的に記憶する。
【００１６】
記録媒体１８は、電子カメラ２に設けられたカードスロット（図示せず）に着脱可能に装着される可搬性を有する記録媒体であり、例えば、ＣＦカード、ＳＤカード、スマートメディア等が用いられる。記録媒体１８には、制御部４において作成された動画像データに制御部４内の図示しない動画用信号処理回路により動画像用の画像処理が施され、制御部４内の図示しない動画用圧縮回路により動画像用の圧縮処理が施された動画像データが記録される。同様に、記録媒体１８には、制御部４において作成された静止画像データに制御部４内の図示しない静止画用信号処理回路により静止画像用の圧縮処理が施された静止画像データ、及び制御部４において作成され、対応する動画像データに付加された音声データ等が記録されている。
【００１７】
表示部２０は、電子カメラ２の背面部に配置されるＬＣＤ等により構成されるモニタまたはＥＶＦ等により構成され、撮像素子６からの撮像信号に基づくスルー画像、記録媒体１８に記録されている画像データに基づく静止画像や動画像、後述するシナリオ動画撮影モード毎にサンプル動画データとしてカメラ内の不図示のメモリに記憶されているサンプル動画、及び撮影に関する情報等を表示する。スピーカ２２は、記録媒体１８に記録されている音声データや、前述のカメラ内の不図示のメモリに記憶されているサンプル動画データに付随して不図示のメモリに記録されている音声データに基づく音声を出力する。
【００１８】
操作部２４は、電子カメラ２の電源をオン／オフする電源スイッチ、静止画像や動画像及び音声の記録を開始する際に操作される録画開始ボタン（例えば、ＲＥＣボタンやシャッタボタン等）、動画像及び音声の記録を終了する際に操作される録画終了ボタン（例えば、ＲＥＣボタンやシャッタボタン等）、表示部２０にメニュー等を表示させるためのメニューボタン、メニュー項目等の選択や様々な設定時に操作される十字キー、メニュー項目等の選択や様々な設定に対する確定操作を行うためのＯＫボタン等を含んで構成されている。
【００１９】
動き情報検出部２５は、電子カメラ２において動画像を撮影する際に、動きのある被写体の動き情報を検出する。具体的には、電子カメラ２が備える瞳分割位相差検出方式によるオート−フォーカス機能により検出される被写体の動き情報を制御部４から取得し、取得した動き情報を一時的に記憶する。そして、被写体の動き情報から得られる被写体までの距離及び時間に基づいて被写体の移動速度を算出する。
【００２０】
大きさ情報検出部２６は、電子カメラ２において動画像を撮影する際に、動きのある主要被写体の撮影画面に対する大きさの情報を検出する。具体的には、予め主要被写体のテンプレートを作成し、作成したテンプレートを図示しないメモリ等に記憶させておく。そして、動画像を撮影する際に、メモリ等に記憶されているテンプレートから主要被写体を特定し、例えば撮影画面全体の画素数に対する主要被写体の画素数を算出する等の周知の画像処理技術を用いて、撮影画面に対する主要被写体の大きさを検出する。
【００２１】
この実施の形態に係る電子カメラ２では、動画像の記録及び記録停止を複数回繰り返すことにより、連続的に移動している被写体が不連続に移動しているように再生される動画像を自動的に撮影することができる。以下、図２に示すフローチャートを参照して、第１の実施の形態に係る電子カメラ２において上述の動画像を撮影する際の処理について説明する。
【００２２】
まず、制御部４は、ユーザーにより動画撮影メニューの表示指示（例えば、メニューボタンの押下）がなされると、表示部２０に、例えば図３に示すような動画撮影メニュー画面２７を表示する（ステップＳ１０）。動画撮影メニュー画面２７には、様々な動画撮影モードを選択可能な項目（図３では、シナリオ動画撮影モードＡ，Ｂ，Ｃ，Ｄ，Ｅ）が表示される。ユーザーにより十字キー等を用いて１つの動画撮影モード（図３では、シナリオ動画撮影モードＢ）が選択され、ＯＫボタンが押下されると、制御部４は、表示部２０に、例えば図４に示すような画面２８を表示する。画面２８には、「サンプル動画を表示しますか？」等のメッセージ、及びメッセージに対する回答を選択するための項目（図４では、「Ｙｅｓ」及び「Ｎｏ」）が表示される。
【００２３】
なお、この実施の形態では、シナリオ動画撮影モードＢが動いている被写体が不連続に移動したように再生される動画像を撮影するモードであるものとする。また、サンプル動画は、各シナリオ動画撮影モードについての特徴的な映像効果を的確にユーザーに示すためにシナリオ動画撮影モード毎に予め作成されて電子カメラ２内の不図示のメモリ内に記憶されている動画像であり、ユーザーは、サンプル動画を視認することにより、選択したシナリオ動画撮影モードで撮影できる動画像がどういった形態（態様）のものかを容易に理解することができる。
【００２４】
ユーザーにより十字キー等を用いて「Ｙｅｓ」が選択され、ＯＫボタンが押下されると（ステップＳ１１、Ｙｅｓ）、制御部１０は、表示部２０に、例えば図５に示すようなサンプル動画の表示を行うための画面２９を表示する（図４から図５に表示が切り替わる）。画面２９には、サンプル動画を表示するためのサンプル動画表示エリア２９ａ、選択されたシナリオ動画撮影モードＢについて説明するための簡単な説明文（図５では、「動いている被写体が不連続に移動したように再生される動画を撮影します。」）を表示するメッセージ表示エリア２９ｂ、サンプル動画の再表示または動画撮影への移行を選択するためのアイコン（図５では、「再表示」及び「撮影へ」）がそれぞれ表示される。そして、制御部４は、サンプル動画表示エリア２９ａに、シナリオ動画撮影モードＢのサンプル動画を表示する（ステップＳ１２）。
【００２５】
なお、シナリオ動画撮影モードには、図５中の説明文にあるような動画を撮影するモード以外にも、例えば、撮影画面内で撮影距離の異なる被写体に対して順次フォーカスを切り換えながら動画を撮影するモードや、フォーカス状態とズーム状態を同時に変更しながら動画を撮影するモード等、モード毎に互いに異なるシナリオの下で再生表示されて様々な映像効果が得られる動画撮影モード（他のシナリオ動画撮影モードＡ，Ｃ〜Ｅ）が設けられている。
【００２６】
ユーザーにより十字キー等を用いて「再表示」が選択され、ＯＫボタンが押下されると（ステップＳ１３、Ｙｅｓ）、制御部４は、図５に示す画面２９において、サンプル動画表示エリア２９ａにシナリオ動画撮影モードＢに対応するサンプル動画を再表示する（ステップＳ１２）。一方、図４に示す画面２８においてユーザーにより「Ｎｏ」が選択された場合（ステップＳ１１、Ｎｏ）、または図５に示す画面２９においてユーザーにより「撮影へ」が選択された場合（ステップＳ１３、Ｎｏ）には、制御部４は、シナリオ動画撮影モードＢ、即ち動いている被写体が不連続に移動したように再生される動画像の撮影へと移行する（ステップＳ１４）。
【００２７】
図６はシナリオ動画撮影モードＢの動画像を撮影するための処理について説明するためのフローチャート、図７はシナリオ動画撮影モードＢの動画像の撮影及び撮影された動画像に基づく動画像ファイルの作成について説明するための図である。
【００２８】
まず、制御部４は、表示部２０の表示面上にスルー画像を表示する（ステップＳ２０）。そして、オートフォーカス機能を用いて、被写体に対して常時合焦するように被写体の移動に伴い、フォーカス位置を移動させる。なお、この実施の形態では、図８に示すように、電子カメラ２に対して電車が遠くから近付いてくる動画像を撮影するものとする。
【００２９】
次に、制御部４は、ユーザーにより録画開始ボタン（この実施の形態ではＲＥＣボタン）が押下されたか否かを判別する（ステップＳ２１）。ステップＳ２１において録画開始ボタンが押下されたと判別された場合には（ステップＳ２１、Ｙｅｓ）、制御部４は、動画像及び音声の記録を開始する（ステップＳ２２、図７では時間ｔ１）。なお、ステップＳ２１において録画開始ボタンが押下されたとき（時間ｔ１）のフレーム画像を図８に示す画像３０とする。ここで、時間ｔ１から記録開始された動画像及び音声は、時間ｔ２まで記録され、シナリオ動画撮影モードＢにおける動画像（記録及び記録停止を繰り返す動画像）の中の第１回目の区間動画像及び区間音声（図７の斜線部で示す領域）となる。また、第１回目の区間動画像及び区間音声が記録される記録時間Ｔ１は、予め設定されており、図示しないメモリ等に記憶されている。
【００３０】
次に、制御部４は、被写体の移動速度を検出する（ステップＳ２３）。具体的には、制御部４は、オートフォーカス機能を用いて、動いている電車（図８参照）に対して常時合焦するように電車の移動に伴い、フォーカス位置を移動させ、そのフォーカス位置の移動結果を動き情報検出部２５に対して出力する。動き情報検出部２５は、制御部４から出力されたフォーカス位置の移動結果に基づいて、電車の移動速度を算出し、算出結果を制御部４に対して出力する。
【００３１】
次に、制御部４は、ステップＳ２３において検出された被写体（電車）の移動速度に基づいて、第１回目の動画像及び音声を記録しない記録停止時間（図７では時間Ｔ２）の長さを設定する（ステップＳ２４）。即ち、第１回目の区間動画像及び区間音声（図７の斜線部で示す領域）と、後述する時間ｔ３から時間ｔ４まで記録される第２回目の区間動画像及び区間音声（図７のドットで示す領域）との間の時間の長さを設定する。
【００３２】
制御部４は、例えば、被写体の移動速度に対する記録停止時間の長さを予め設定しておき、それをテーブルとして図示しないカメラ内のメモリ等に記憶しておき、このテーブルを参照することにより記録停止時間の長さを設定する。具体的には、図９のグラフに示すように、被写体の移動速度が大きくなるに従い記録停止時間Ｔ２を短くする。即ち、高速で移動する被写体については、記録停止時間Ｔ２を短くした場合においても、時間ｔ２における被写体の位置と時間ｔ３における被写体の位置との違いが視覚的にも明確となり、このシナリオ動画撮影モードの動画像における特徴的な映像効果を十分に表現することができる。一方、図９のグラフに示すように、被写体の移動速度が小さくなるに従い記録停止時間Ｔ２を長くする。即ち、低速で移動する被写体については、記録停止時間Ｔ２を長くすることにより、時間ｔ２における被写体の位置と時間ｔ３における被写体の位置との違いを明確にし、このシナリオ動画撮影モードの動画像における特徴的な映像効果が十分に表現できるようにする。
【００３３】
次に、制御部４は、記録時間Ｔ１が経過したか否かを判別する（ステップＳ２５）。記録時間Ｔ１は、上述したように、第１回目の区間動画像及び区間音声（図７の斜線部で示す領域）が記録される時間である。ステップＳ２５において記録時間Ｔ１が経過したと判別された場合には（ステップＳ２５、Ｙｅｓ）、制御部４は、動画像及び音声の記録を停止する（ステップＳ２６、図７では時間ｔ２）。即ち、第１回目の区間動画像及び区間音声（図７の斜線部で示す領域）の記録を終了し、時間ｔ２から時間ｔ３まで、即ちステップＳ２４において設定された記録停止時間Ｔ２の間、動画像及び音声の記録を一時停止する。なお、記録時間Ｔ１が経過したとき（時間ｔ２）のフレーム画像を図８に示す画像３２とする。
【００３４】
このとき、制御部４は、時間ｔ１から時間ｔ２までの間（記録時間Ｔ１）、撮像素子６からの撮像信号に基づくフレーム画像を動画像用の解像度にリサイズして動画用バッファメモリ１２に格納し、時間ｔ２から時間ｔ３までの間（記録時間Ｔ２）、撮像素子６からは撮像信号が出力され続けるが、それに基づくフレーム画像を動画用バッファメモリ１２に格納しないよう制御する。
【００３５】
次に、制御部４は、ステップＳ２４において設定した記録停止時間Ｔ２が経過したか否かを判別する（ステップＳ２７）。ステップＳ２７において記録停止時間Ｔ２が経過したと判別された場合には（ステップＳ２７、Ｙｅｓ）、制御部４は、被写体（電車）の撮影画面に対する大きさを検出する（ステップＳ２８）。具体的には、制御部４は、記録停止時間Ｔ２が経過したとき（図７では時間ｔ３）の画像（図８では画像３４）を、大きさ情報検出用に解像度をリサイズ（大から小へ）し、大きさ情報検出部２６に対して出力する。大きさ情報検出部２６は、予め図示しないメモリ等に記憶されているテンプレート（電車のテンプレート）から、画像３４内の電車を特定し、例えば撮影画面全体の画素数に対する電車が占める画素数を算出し、算出結果に基づいて撮影画面に対する電車の大きさを検出する。そして、検出結果を制御部４に対して出力する。
【００３６】
次に、制御部４は、ステップＳ２８において検出した電車の撮影画面に対する大きさが所定値以上であるか否かを判別する（ステップＳ２９）。所定値は、例えば撮影画面に対して被写体の占める割合（被写体の面積、あるいは画面内の縦方向、横方向、又は斜め方向の長さ）が５０％等、予め設定されており、図示しないメモリ等に記憶されている。ステップＳ２９において電車の撮影画面に対する大きさが所定値以上でないと判別された場合には（ステップＳ２９、Ｎｏ）、制御部４は、ステップＳ２２の処理に戻り、動画像及び音声の記録を再開する（ステップＳ２２、図７では時間ｔ３）。なお、上述したように、記録停止時間Ｔ２が経過したとき（時間ｔ３）のフレーム画像を図８に示す画像３４とする。
【００３７】
即ち、時間ｔ３から時間ｔ４までの間（記録時間Ｔ３）、第２回目の区間動画像及び区間音声（図７のドットで示す領域）を記録する。記録時間Ｔ３は、記録時間Ｔ１と同一の長さで予め設定されており、図示しないメモリ等に記憶されている。そして、制御部４は、電車の移動速度を再び検出し（ステップＳ２３）、ステップＳ２３において検出された電車の移動速度に基づいて、第２回目の動画像及び音声を記録しない記録停止時間（図７では時間Ｔ４）の長さを設定する（ステップＳ２４）。電車が等速で移動している場合には、第２回目の記録停止時間Ｔ４は、第１回目の記録停止時間Ｔ２と同一の長さに設定されるが、電車が等速で移動していない場合（加速または減速している場合）には、第２回目の記録停止時間Ｔ４は、第１回目の記録停止時間Ｔ２と異なる長さ（加速している場合にはＴ２よりも短めに、減速している場合にはＴ２よりも長めに）に設定される。
【００３８】
次に、制御部４は、記録時間Ｔ３が経過したか否かを判別し（ステップＳ２５）、記録時間Ｔ３が経過したと判別された場合には（ステップＳ２５、Ｙｅｓ）、制御部４は、第２回目の区間動画像及び区間音声の記録を停止する（ステップＳ２６、図７では時間ｔ４）。即ち、制御部４は、記録時間Ｔ３の間、撮像素子６からの撮像信号に基づくフレーム画像を動画像用の解像度にリサイズして動画用バッファメモリ１２に格納し、記録時間Ｔ４の間、撮像素子６からの撮像信号に基づくフレーム画像を動画用バッファメモリ１２に格納しないよう制御する。なお、記録時間Ｔ３が経過したとき（時間ｔ４）のフレーム画像を図８に示す画像３６とする。
【００３９】
次に、制御部４は、ステップＳ２４において設定された記録停止時間Ｔ４が経過したか否かを判別し（ステップＳ２７）、記録停止時間Ｔ４が経過したと判別された場合には（ステップＳ２７、Ｙｅｓ）、制御部４は、ステップＳ２２の処理に再び戻り、第３回目の区間動画像及び区間音声の記録を開始する（ステップＳ２２、図７では時間ｔ５）。なお、記録停止時間Ｔ４が経過したとき（時間ｔ５）のフレーム画像を図８に示す画像３８とする。
【００４０】
このように、ステップＳ２９において電車の撮影画面に対する大きさが所定値以上であると判別されるまで（ステップＳ２９、Ｙｅｓ）、制御部４は、ステップＳ２２〜Ｓ２９の処理を繰り返す。即ち、動画像及び音声の記録及び記録停止を繰り返す。
【００４１】
そして、ステップＳ２９において電車の撮影画面に対する大きさが所定値以上であると判別された場合には（ステップＳ２９、Ｙｅｓ）、制御部４は、記録停止時間を０に設定し（ステップＳ３０）、動画像及び音声の記録を再開する（ステップＳ３１）。即ち、ステップＳ３０において記録停止時間を０に設定したため、動画像及び音声の記録は、記録時間（予め設定された記録時間Ｔ１）が経過しても継続される。なお、図７においては、動画像及び音声の記録及び記録停止が２回行われた後（図７では時間ｔ５）、電車の大きさが所定値以上となり、記録停止時間が０に設定され、動画像及び音声の記録が継続されている（図７の網掛で示す領域）。
【００４２】
次に、制御部４は、録画可能時間が経過したか否かを判別する（ステップＳ３２）。録画可能時間は、１つの動画像及び音声を記録する最大時間（予めカメラ内で決められている時間）であって、記録媒体１８の容量等に基づいて予め設定されており、図示しないメモリ等に記憶されている。ステップＳ３２において録画可能時間が経過していないと判別された場合には（ステップＳ３２、Ｎｏ）、制御部４は、ユーザーにより録画終了ボタン（この実施の形態ではＲＥＣボタン）が押下されたか否かを判別する（ステップＳ３３）。ステップＳ３３において録画終了ボタンが押下されていないと判別された場合には（ステップＳ３３、Ｎｏ）、制御部４は、ステップＳ３２の処理に戻り、ステップＳ３２及びＳ３３の処理を繰り返す。
【００４３】
一方、ステップＳ３２において録画可能時間が経過したと判別された場合（ステップＳ３２、Ｙｅｓ）、またはステップＳ３３において録画終了ボタンが押下されたと判別された場合（ステップＳ３３、Ｙｅｓ）には、制御部４は、動画像及び音声の記録を終了し（ステップＳ３４、図７では時間ｔ６）、図７に示すように、第１回目の区間動画像及び区間音声（記録時間Ｔ１）、第２回目の区間動画像及び区間音声（記録時間Ｔ３）、及び最後の動画像及び音声（記録時間Ｔ５）を順次連結させて形成される動画像に基づく動画像ファイル４０を作成する（ステップＳ３５）。そして、ステップＳ３５において作成した動画像ファイル４０を記録媒体１８に記録する。なお、ステップＳ３５の処理の前に、「記録してもよいですか？」等の記録媒体１８への記録を確認するメッセージ、及び「はい・いいえ」等の記録媒体１８への記録の有無を選択する選択肢を表示してもよい。
【００４４】
また、ステップＳ２２〜Ｓ２９の処理を行っている間に、録画可能時間が経過した場合、またはユーザーにより録画終了ボタンが押下された場合には、制御部４は、区間動画像及び区間音声の記録を終了し、ステップＳ３５の処理に移行する。
【００４５】
動画像ファイル４０内の動画像を再生する際は、制御部４は、記録媒体１８から動画像ファイル４０を読出し、動画像については第１回目の区間動画像（記録時間Ｔ１）から順次、表示部２０の表示面上に表示する。即ち、図８に示す画像３０から画像３２へ電車が近づいてくる動画像（第１回目の区間動画像）が最初に再生され、画像３２から画像３４に切換り、画像３４から画像３６へ電車が近づいてくる動画像（第２回目の区間動画像）が次に再生され、画像３６から画像３８に切換り、最後の動画像が時間Ｔ５の間、再生される。
【００４６】
第１の実施の形態に係る電子カメラ２によれば、動画像の記録と記録停止とを自動的に繰り返す撮影を行うことができるため、連続的に移動している被写体が不連続に移動しているように再生される動画像、即ち印象的な映像効果を有する動画像を容易に作成することができる。即ち、電子カメラ２に対して遠くから近付いてくる電車等の動画像を連続して撮影するより、より強力に電車が迫ってくる（スピード感のある）動画像を容易に作成することができる。また、最後の区間動画像及び区間音声が、記録時間Ｔ１，Ｔ３より長い記録時間Ｔ５の間連続して記録されるため、突然に終了することなく、鑑賞者に違和感を与えることなく、かつ最後のシーンを強く印象付ける動画像を作成することができる。
【００４７】
次に、図面を参照して、本発明の第２の実施の形態に係る電子カメラについて説明する。なお、第２の実施の形態に係る電子カメラの構成は、第１の実施の形態に係る電子カメラ２の構成から大きさ情報検出部２６（図１参照）を取り除いたものである。したがって、第２の実施の形態に係る電子カメラについては、図１に示す電子カメラ２の構成と同一の構成には同一の符号を用いてその説明を行う。
【００４８】
第２の実施の形態に係る電子カメラにおいても、第１の実施の形態に係る電子カメラ２と同様に、動画像の記録及び記録停止を複数回繰り返すことにより、連続的に移動している被写体が不連続に移動しているように再生される動画像を自動的に撮影することができる。第２の実施の形態においては、第１の実施の形態と同様に、制御部４は、図２に示すステップＳ１０〜Ｓ１３の処理を終えた後、ステップＳ１４の処理として図６に示すステップＳ２０〜Ｓ２７の処理を行う。そして、図６に示すステップＳ２８の処理を行うことなく、ステップＳ２９の処理に代えて、区間動画像及び区間音声の記録及び記録停止を所定回数行ったか否かを判別する。
【００４９】
所定回数は、区間動画像及び区間音声の記録及び記録停止を繰り返す回数として予め設定されており、図示しないメモリ等に記憶されている。この実施の形態では、所定回数は２回に設定されている。したがって、制御部４は、区間動画像及び区間音声の記録及び記録停止を２回行っていない（１回しか行っていない）と判別した場合には、図６に示すステップＳ２２の処理に戻り、区間動画像及び区間音声の記録及び記録停止を２回行ったと判別されるまでステップＳ２２〜Ｓ２７の処理を繰り返す。
【００５０】
一方、区間動画像及び区間音声の記録及び記録停止を２回行ったと判別した場合には、図６に示すステップＳ３０〜Ｓ３５の処理を行う。即ち、図７に示すように、時間ｔ５において区間動画像及び区間音声の記録及び記録停止を２回行ったと判別し、時間ｔ６において録画可能時間の経過または録画終了ボタンの押下が行われたと判別し（ステップＳ３２またはＳ３３、Ｙｅｓ）、動画像及び音声の記録を終了し（ステップＳ３４）、動画像ファイル４０を作成する（ステップＳ３５）。
【００５１】
第２の実施の形態に係る電子カメラよれば、区間動画像及び区間音声の記録及び記録停止を行う回数が予め設定されているため、大きさ情報検出部２６を備えていなくとも、第１の実施の形態において撮影したのと同様の動画像を容易に撮影することができる。
【００５２】
なお、第１及び第２の実施の形態では、被写体の移動速度に基づいて記録停止時間を設定しているが、被写体の移動速度に基づいて記録時間を設定することもできる。この場合には、制御部４は、例えば、被写体の移動速度に対する記録時間の長さを予め設定しておき、それをテーブルとして図示しないメモリ等に記憶しておき、このテーブルを参照することにより記録時間の長さを設定する。具体的には、被写体の移動速度が大きくなるに従い記録時間を短くする。即ち、高速で移動する被写体については、記録時間を短くした場合においても被写体の移動している状態を記録することができ、かつ記録時間を短くすることにより記録と記録停止との切換りの回数を多くすることができるため、このシナリオ動画撮影モードの動画像における特徴的な映像効果を十分に表現することができる。一方、被写体の移動速度が小さくなるに従い記録時間を長くする。即ち、低速で移動する被写体については、記録時間を長くすることにより記録と記録停止との切換りの回数は減少するが、被写体の移動している状態を明確に記録することができるため、このシナリオ動画影モードの動画像における特徴的な映像効果を十分に表現することができる。
【００５３】
また、被写体の移動速度に基づいて記録時間及び記録停止時間の両方を設定することもできる。この場合には、被写体の移動速度が大きくなるに従い記録時間及び記録停止時間を短くする。即ち、記録と記録停止との切換りを小刻みに行うことによりこのシナリオ動画撮影モードの動画像における特徴的な映像効果を表現する。一方、被写体の移動速度が小さくなるに従い記録時間及び記録停止時間を長くする。即ち、記録と記録停止との切換りを穏やかに行うことによりこのシナリオ動画撮影モードの動画像における特徴的な映像効果を表現する。
【００５４】
また、電子カメラ２に対して遠くから近くへ、または近くから遠くへ移動する被写体の動画像を撮影する場合には、被写体の移動速度に代えて、被写体の撮影画面に対する大きさに基づいて記録時間及び記録停止時間の少なくとも一方を設定することもできる。この場合には、第１の実施の形態では大きさ情報検出部２６により被写体の撮影画面に対する大きさを検出する。第２の実施の形態では動き情報検出部２５に代えて大きさ情報検出部２６と同様の構成を有する大きさ情報検出部を備え、その大きさ情報検出部により被写体の撮影画面に対する大きさを検出する。そして、制御部４は、検出された被写体の撮影画面に対する大きさが大きくなる度合または小さくなる度合の増大に応じて記録時間及び記録停止時間の少なくとも一方を短くし、被写体の撮影画面に対する大きさが大きくなる度合または小さくなる度合の減少に応じて記録時間及び記録停止時間の少なくとも一方を長くする。
【００５５】
また、電子カメラ２に対して遠くから近くへ、または近くから遠くへ移動する被写体の動画像を撮影する場合には、被写体の移動速度に代えて、被写体からの光を撮像素子６に導く撮影レンズ（図示せず）の焦点距離情報に基づいて記録時間及び記録停止時間の少なくとも一方を設定することもできる。この場合には、制御部４は、動画像撮影中に、撮影レンズの焦点距離情報を所定時間間隔で取得する。そして、所定時間間隔毎の撮影レンズの焦点距離情報に基づく撮影レンズの焦点距離が短くなる度合または長くなる度合の増大に応じて記録時間及び記録停止時間の少なくとも一方を短くし、所定時間間隔毎の撮影レンズの焦点距離情報に基づく撮影レンズの焦点距離が短くなる度合または長くなる度合の減少に応じて記録時間及び記録停止時間の少なくとも一方を長くする。
【００５６】
次に、第１及び第２の実施の形態に係る電子カメラにおいて、連続的に移動している被写体が不連続に移動しているように再生される動画像を含む動画像ファイルを作成する他の方法（変形例）について説明する。
【００５７】
制御部４は、図７に示す時間ｔ１から時間ｔ６までの動画像及び音声を、動画用バッファメモリ１２及び音声用バッファメモリ１６に格納する。それと同時に、時間ｔ１から時間ｔ６まで動き情報検出部２５により検出される被写体（電車）の移動速度、及びその時の時間等を含む被写体の動き情報を図示しないメモリ等に記録する。なお、第１の実施の形態に係る電子カメラ２においては、時間ｔ１から時間ｔ６まで大きさ情報検出部２６により検出される被写体（電車）の撮影画面に対する大きさ、及びその時の時間等を含む被写体の大きさ情報も図示しないメモリ等に記録する。
【００５８】
動画像の撮影後（図７では、時間ｔ６より後）、制御部４は、記録した被写体の動き情報に基づいて、各記録時間Ｔ１，Ｔ３及び記録停止時間Ｔ２，Ｔ４の少なくとも一方を設定する。第１の実施の形態に係る電子カメラ２においては、動画像の撮影後（図７では、時間ｔ６より後）、制御部４は、記録した被写体の大きさ情報に基づいて、記録停止時間を０に設定する時間（図７では、時間ｔ５）、即ち記録及び記録停止を繰り返す回数（所定回数）を設定する。第２の実施の形態に係る電子カメラにおいては、所定回数は上述したように予め設定されている。
【００５９】
そして、設定された各記録時間Ｔ１，Ｔ３，Ｔ５分の区間動画像及び区間音声のみを動画用バッファメモリ１２及び音声用バッファメモリ１６から読出し（設定された記録停止時間Ｔ２，Ｔ４分の区間動画像及び区間音声は読出しせず、削除し）、それに基づき動画像ファイル４０を作成する。第１及び第２の実施の形態において、被写体の移動速度が検出された後の区間動画像及び区間音声の記録または記録停止を、検出された被写体の移動速度に基づいて制御しているが、この変形例によれば、被写体の移動速度が検出された時間前後における区間動画像及び区間音声の記録または記録停止を、記録された被写体の移動速度に基づいて制御することができる。したがって、より臨場感のある動画像を作成することができる。
【００６０】
なお、第１及び第２の実施の形態では、オートフォーカス機能を用いて被写体の移動速度を検出しているが、オートフォーカス機能を用いて、例えば図１０に示すように、撮影画面に対して横方向（図１０では左から右）に移動する被写体（図１０では人）の移動速度を検出することはできない。この場合には、動き情報検出部２６に代えて、被写体の動きベクトルを、連続的に取得された複数の撮影画像から算出可能な動き情報検出部を備え、算出される動きベクトルに基づいて被写体の移動速度を検出する。具体的には、制御部４は、撮像素子６からの撮像信号に基づき作成され、被写体の動き情報検出用の解像度にリサイズ（解像度大から小へ）された少なくとも２つのフレーム画像を動き情報検出部へ出力する。動き情報検出部は、少なくとも２つのフレーム画像に基づいて周知の動きベクトル算出処理により動きベクトルを算出し、算出された動きベクトルに基づいて動いている被写体（図１０では、人）の移動速度を検出し、検出結果を制御部４に対して出力する。
【００６１】
次に、図面を参照して、本発明の第３の実施の形態に係る電子カメラについて説明する。なお、第３の実施の形態に係る電子カメラの構成は、第１の実施の形態に係る電子カメラ２の構成から動き情報検出部２５及び大きさ情報検出部２６（図１参照）を取り除いたものである。したがって、第３の実施の形態に係る電子カメラについては、図１に示す電子カメラ２の構成と同一の構成には同一の符号を用いてその説明を行う。
【００６２】
第３の実施の形態に係る電子カメラにおいても、第１の実施の形態に係る電子カメラ２と同様に、動画像の記録及び記録停止を複数回繰り返すことにより、連続的に移動している被写体が不連続に移動しているように再生される動画像を自動的に撮影することができる。第３の実施の形態においては、第１の実施の形態と同様に、制御部４は、図２に示すステップＳ１０〜Ｓ１３の処理を終えた後、ステップＳ１４の処理に移行する。図１１は、第３の実施の形態に係る電子カメラにおいて、シナリオ動画撮影モードＢの動画像を撮影するための処理について説明するためのフローチャートである。なお、ステップＳ４０〜Ｓ４２の処理は、図６に示すステップＳ２０〜Ｓ２２の処理と同一のため、その説明を省略する。
【００６３】
次に、制御部４は、記録時間が経過したか否かを判別する（ステップＳ４３）。記録時間は、区間動画像及び区間音声が記録される時間であって、予め設定されており、図示しないメモリ等に記憶されている。ステップＳ４３において記録時間が経過したと判別された場合には（ステップＳ４３、Ｙｅｓ）、制御部４は、第１回目の区間動画像及び区間音声の記録を停止する（ステップＳ４４）。次に、制御部４は、記録停止時間が経過したか否かを判別する（ステップＳ４５）。記録停止時間は、第１回目の区間動画像及び区間音声の記録終了から、第２回目の区間動画像及び区間音声の記録開始までの時間であって、予め設定されており、図示しないメモリ等に記憶されている。記録停止時間の間は、制御部４は、撮像素子６からの撮像信号に基づくフレーム画像が動画用バッファメモリ１２に格納されないよう制御する。
【００６４】
ステップＳ４５において記録停止時間が経過したと判別された場合には（ステップＳ４５、Ｙｅｓ）、制御部４は、区間動画像及び区間音声の記録及び記録停止を所定回数行ったか否かを判別する（ステップＳ４６）。所定回数は、区間動画像及び区間音声の記録及び記録停止を繰り返す回数として予め設定されており、図示しないメモリ等に記憶されている。この実施の形態では、所定回数は２回に設定されている。したがって、制御部４は、区間動画像及び区間音声の記録及び記録停止を所定回数行っていない（所定回数未満の回数しか行っていない）と判別した場合には、ステップＳ４２の処理に戻り、区間動画像及び区間音声の記録及び記録停止を所定回数行ったと判別されるまで、ステップＳ４２〜ステップＳ４６の処理を繰り返す。
【００６５】
一方、区間動画像及び区間音声の記録及び記録停止を２回行ったと判別した場合には（ステップＳ４６、Ｙｅｓ）、制御部４は、ステップＳ４７の処理に移行する。なお、ステップＳ４７〜Ｓ５２の処理は、図６に示すステップＳ３０〜Ｓ３５の処理と同一のため、その説明を省略する。
【００６６】
第３の実施の形態に係る電子カメラよれば、区間動画像及び区間音声の記録時間、記録停止時間及び区間動画像及び区間音声の記録及び停止を行う回数が予め設定されているため、動き情報検出２５及び大きさ情報検出部２６を備えていなくとも、第１の実施の形態において撮影したのと同様の動画像を容易に撮影することができる。
【００６７】
なお、第３の実施の形態においては、記録時間、記録停止時間及び所定回数が予め設定されているが、予め設定された記録時間、記録停止時間及び所定回数の少なくとも１つをデフォルトとし、記録時間、記録停止時間及び所定回数の少なくとも１つを変更可能に構成することもできる。この場合には、メニューの中のメニュー項目に記録時間、記録停止時間及び所定回数の少なくとも１つを設定する項目を加え、動画像を撮影する前に、メニュー画面を表示部２０に表示し、十字キー等を用いて操作することにより記録時間、記録停止時間及び所定回数の少なくとも１つの設定を行う。
【００６８】
また、図１１に示すステップＳ４０の処理の前に、図１２に示すような記録時間、記録停止時間及び所定回数を設定する設定画面４２を表示部２０に表示してもよい。ユーザーにより、設定画面４２上において十字キー等を用いて、記録時間（図１２では、３秒）、記録停止時間（図１２では、３秒）、及び所定回数（図１２では、３回）が設定され、ＯＫボタンが押下されると、制御部４は、「ＲＥＣボタンで撮影を開始します。」等の録画開始ボタンを押下することにより動画像の撮影を開始することを報知するメッセージ等と共に、スルー画像を表示部２０に表示する（ステップＳ４０）。
【００６９】
なお、十字キーやＯＫボタンを用いる代わりに、電子カメラ２にタッチパネルＩ／Ｆ、及びタッチパネルＩ／Ｆに接続され、表示部２０の表示画面上に設けられるタッチパネルを備え、このタッチパネルを用いて設定画面４２上において記録時間、記録停止時間及び所定回数を設定する構成にしてもよい。この場合には、制御部４は、タッチパネル（表示部２０の表示画面）上に例えばユーザーの指、ペン等で触れることによりタッチパネルＩ／Ｆを介して認識し、認識結果に基づいた処理を行う。
【００７０】
また、動画用バッファメモリ１２及び音声用バッファメモリ１６内にすべての動画像及び音声（図７では、時間ｔ１から時間ｔ６までの動画像及び音声）を格納しておき、動画像の撮影後（図７では、時間ｔ６より後）において、記録時間、記録停止時間及び所定回数等を設定し、設定に基づいて動画像ファイル（例えば、図７に示す動画像ファイル４０）を作成してもよい。
【００７１】
また、上述の第２及び第３の実施の形態においては、区間動画像及び区間音声の記録及び停止を行う回数を予め設定しているが、区間動画像及び区間音声の記録及び停止を行う時間（所定時間）を予め設定する構成にしてもよい。この場合には、制御部４は、区間動画像及び区間音声の記録及び停止を所定回数行ったか否かを判別する代わりに、区間動画像及び区間音声の記録及び停止を所定時間行ったか否かを判別する。
【００７２】
なお、上述のように、記録時間、記録停止時間、及び所定回数（所定時間）の少なくとも１つを手動で設定する場合には、設定可能な範囲外の時間や回数（例えば、録画可能時間より長い記録時間、記録停止時間、または記録時間×所定回数の時間等）をユーザーが設定できないよう制御する構成にするとよい。
【００７３】
また、上述の各実施の形態においては、図７に示す最後の区間動画像及び区間音声が記録される記録時間Ｔ５（記録時間Ｔ１，Ｔ３より長い時間）を設定する構成になっていないが、記録時間Ｔ５を予め設定することができる構成にしてもよい。この場合には、録画可能時間から記録時間Ｔ５を差し引いた時間（図７では時間ｔ１から時間ｔ５まで）の間、区間動画像及び区間音声の記録及び記録停止を繰り返し、時間ｔ５になったとき、記録停止時間を０に設定し、最後の区間動画像及び区間音声の記録を開始する。
【００７４】
なお、上述の各実施の形態においては、図７に示すように、区間動画像及び区間音声の記録及び記録停止を所定回数繰り返した後、最後の区間動画像及び区間音声の記録を記録時間より長い所定時間連続して行い、記録された複数の区間動画像及び区間音声を連結させた動画像ファイル４０を作成している。しかしながら、図１３に示すように、区間動画像及び区間音声の記録（図１３では、Ｔ１，Ｔ３，Ｔ５…）及び記録停止（図１３では、Ｔ２，Ｔ４…）を、録画可能時間が経過するまで、または録画終了ボタンが押下されるまで（図１３では、時間ｔ７）、繰り返し、記録された複数の区間動画像及び区間音声を連結させた動画像ファイル４４を作成する構成にすることもできる。この場合において、例えば図１４に示すように、記録停止時間（図１４では、Ｔ６）中に、録画可能時間が経過した場合、または録画終了ボタンが押下される場合（図１４では、時間ｔ７）には、最後の区間動画像及び区間音声の記録（図１４では、Ｔ７）を行い、記録された複数の区間動画像及び区間音声を連結させた動画像ファイル４６を作成してもよい。
【００７５】
また、図１５に示すように、まず、予め設定されている記録時間Ｔ３０，Ｔ５０より長い時間Ｔ１０（時間ｔ１０から時間ｔ２０までの間）、最初の区間動画像及び区間音声の記録を連続して行い、その後、記録停止時間Ｔ２０（時間ｔ２０から時間ｔ３０までの間）、区間動画像及び区間音声の記録停止、記録時間Ｔ３０（時間ｔ３０から時間ｔ４０までの間）、区間動画像及び区間音声の記録等、記録停止（時間Ｔ４０（時間ｔ４０から時間ｔ５０までの間）等）及び記録（記録時間Ｔ５０（時間ｔ５０から時間ｔ６０までの間）等）を繰り返し、記録された複数の区間動画像及び区間音声を連結させた動画像ファイル４８を作成する構成にすることもできる。
【００７６】
また、上述の各実施の形態においては、録画可能時間が予め設定されており、録画可能時間より長い時間の録画を禁止しているが、ユーザーにより録画終了ボタンが押下されるまで本発明に係る動画像の記録を継続する構成にすることもできる。また、予め設定された録画可能時間をデフォルトとし、録画可能時間を変更可能に構成することもできる。
【００７７】
また、上述の各実施の形態においては、フォーカス位置の検出方法（オートフォーカス機能）として、位相差検出方式によるオートフォーカス機能を備えたＡＦ画素を埋め込んだ撮像素子を用いる電子カメラを例に挙げて説明したが、本発明はこれに限られるものではない。例えば位相差検出方式によるオートフォーカス機能を備えた周知のＡＦセンサを撮像素子とは別個に設けた電子カメラ、具体的には被写体光をハーフミラー（このハーフミラーは透過光を撮像素子へ、反射光をＡＦセンサへ導くもの）を介してＡＦセンサと撮像素子に導くように構成された電子カメラにも、本発明を適用することができる。また、例えばコントラスト検出方式によるオートフォーカス機能を備えた撮像素子を備えた電子カメラにも、本発明を適用することができる。
【００７８】
また、上述の各実施の形態においては、動画像に対応する音声を記録しているが、音声を記録せず、動画像のみを記録してもよい。
【００７９】
或いは動画像の撮影記録時に上記実施形態のように撮影中の撮影場面の音声（動画像に対応する音声）そのものを記録するのではなく、撮影中は区間動画像のみを記録するよう動作し、その撮影直後の動画像ファイル４０，４４，４６，４８の作成時に、複数の区間動画像を連結すると共にそれに対応付けて任意の音楽又は音声（予めカメラ内メモリに記憶されている音楽又は音声であって、ユーザー選択あるいはカメラの自動選択により選択された音楽又は音声）を動画像ファイル４０，４４，４６，４８として記録するようにしても良い。なお音楽や音声を記録する場合には、区間動画像を連結した不連続な動画像に合わせて不連続な音楽（又は音声）にする必要はなく、途切れのない音楽（連続的な音楽）として動画像ファイル４０，４４，４６，４８を生成するのが好ましい。更に言えば動画像の終了間際に音楽（又は音声）が突然終了すると不自然な印象を与えるので、動画像の終了に合わせて音楽（又は音声）をフェードアウトさせて記録するのが好ましい。また場合によっては、動画像の開始に合わせて音楽（又は音声）をフェードインさせながら記録するのが好ましい。
【００８０】
次に、図面を参照して、本発明の第４の実施の形態に係る画像処理装置としての電子カメラについて説明する。なお、第４の実施の形態に係る電子カメラは、第１の実施の形態に係る電子カメラ２の構成と同一の構成を有しているため、その説明を省略する。また、第４の実施の形態に係る電子カメラの機能や動作については、図１に示す電子カメラ２の構成と同一の構成には同一の符号を用いてその説明を行う。
【００８１】
第４の実施の形態では、制御部４は、記録媒体１８に記録されている動画像ファイルに基づいてシナリオ動画（後述する）を作成する際に、記録媒体１８に記録されている動画像ファイル内の動画像データを動画用バッファメモリ１２に、記録媒体１８に記録されている動画像ファイル内の音声データを音声用バッファメモリ１６に、一時的に記憶させる。
【００８２】
また、動き情報検出部２５は、電子カメラ２において記録媒体１８に記録されている動画像ファイルに基づいてシナリオ動画を作成する際に、動画像ファイル内の動画像データに基づく動画像中の動きのある被写体の動き情報を検出し、検出結果を制御部４に対して出力する。具体的には、まず、動画像ファイル内の動画像データを形成する複数のフレーム画像の中の少なくとも２つのフレーム画像を、制御部４内の図示しない縮小回路を介することにより被写体の動き情報検出用の解像度（解像度大から小へ）にリサイズする。そして、リサイズされた少なくとも２つのフレーム画像から、周知の動きベクトル算出処理により動きベクトルを算出し、算出された動きベクトルに基づいて動きのある被写体の動き情報（この実施の形態では、被写体の移動速度）を検出する。
【００８３】
また、大きさ情報検出部２６は、電子カメラ２において記録媒体１８に記録されている動画像ファイルに基づいてシナリオ動画を作成する際に、動画像ファイルに基づく動画像中の動きのある主要被写体の大きさ情報を検出し、検出結果を制御部４に対して出力する。具体的には、まず、図示しないメモリ等に記憶されている主要被写体のテンプレートから主要被写体を特定し、フレーム画像全体の画素数に対する主要被写体の画素数を算出する等の周知の画像処理技術を用いて、フレーム画像全体に対する主要被写体の大きさを検出する。
【００８４】
この実施の形態に係る電子カメラ２では、電子カメラ２により撮影され、記録媒体１８に記録されている動画像及び音声を含む動画像ファイルに基づいて、連続的に移動している被写体が不連続に移動しているように再生されるシナリオ動画を自動的に作成し、作成されたシナリオ動画を再生することができる。以下、第４の実施の形態に係る電子カメラ２において上述のシナリオ動画を再生する際の処理について説明する。図１６は上述のシナリオ動画を作成及び再生するための処理について説明するためのフローチャート、図１７はシナリオ動画を作成及び再生するための処理について説明するための図である。
【００８５】
まず、制御部４は、ユーザーにより動画再生メニューの表示指示（例えば、メニューボタンの押下）がなされると、表示部２０に動画再生メニュー画面を表示する（ステップＳ６０）。動画再生メニュー画面には、様々な動画再生モードを選択可能な項目（例えば、シナリオ動画再生モードＡ，Ｂ，Ｃ，Ｄ，Ｅ）が表示される。ユーザーにより十字キー等を用いて１つの動画再生モード（この実施の形態ではシナリオ動画再生モードＡとする）が選択され、ＯＫボタンが押下されると、制御部４は、シナリオ動画再生モードＡへと移行する。なお、この実施の形態では、シナリオ動画再生モードＡが連続的に移動している被写体が不連続に移動しているように再生されるシナリオ動画（以下、単にシナリオ動画という）を作成し、再生するモードであるものとする。また、動画再生モードには、上述のシナリオ動画を作成し、再生するモード以外にも、例えば、静止している画像が動きだしたり、或いは動いている被写体が静止するように表示される動画像を作成し、再生するモード等、モード毎に互いに異なるシナリオの下で再生表示されて様々な映像効果が得られる動画再生モード（他のシナリオ動画再生モードＢ〜Ｅ）が設けられている。
【００８６】
次に、制御部４は、シナリオ動画再生モードＡへ移行すると、シナリオ動画を作成するための動画像を含む動画像ファイル、即ち記録媒体１８に記録されている動画像ファイルの中の一つをユーザーに選択させるための動画選択画面を表示部２０に表示する（ステップＳ６１）。具体的には、記録媒体１８に記録されている動画像ファイルの一覧、例えばファイル名の一覧や代表フレーム画像のサムネイル画像の一覧等を表示部２０に表示し、十字キー等を用いて１つの動画像ファイルをユーザーに選択させる。なお、この実施の形態では、図８に示すような電子カメラ２に対して電車が遠くから近付いてくる動画像の動画像ファイルがユーザーにより選択されたものとして説明を行う。
【００８７】
ユーザーにより十字キー等を用いて１つの動画像ファイルが選択され、ＯＫボタンが押下されると、制御部４は、ステップＳ６１において選択された動画像ファイル内の動画像データ（元の動画像データという）の動画用バッファメモリ１２へのバッファリング、及びステップＳ６１において選択された動画像ファイル内の音声データ（元の音声データという）の音声用バッファメモリ１６へのバッファリングを開始する（ステップＳ６２）。即ち、図１７に示すように、元の動画像データに基づく再生時間Ｔの動画像（以下、元の動画像という）の中の時間０〜ｔａの間（再生時間Ｔａ）の少なくとも１枚のフレーム画像から形成される区間動画像の画像データを動画用バッファメモリ１２に、元の音声データに基づく再生時間Ｔの音声（以下、元の音声という）の中の時間０〜ｔａの間（再生時間Ｔａ）の区間音声の音声データを音声用バッファメモリ１６に格納する。なお、区間動画像を表示部２０及びスピーカ２２において再生する再生時間Ｔａ及びＴｃは、予め設定されており、図示しないメモリ等に記憶されている。
【００８８】
時間０〜ｔａの間の区間動画像及び区間音声のデータをバッファリングしている間に、制御部４は、時間０〜ｔａの間の区間動画像中の被写体の移動速度を検出する（ステップＳ６３）。具体的には、制御部４は、元の動画像データに基づく時間０〜ｔａの間の区間動画像を形成する複数のフレーム画像の中の少なくとも２つのフレーム画像を、動き情報検出用に解像度をリサイズし、動き情報検出部２５に対して出力する。動き情報検出部２５は、リサイズされた少なくとも２つのフレーム画像（例えば図８に示すフレーム画像３０，３２）から、周知の動きベクトル算出処理を用いて被写体（図８では電車）の動き情報を検出し、検出結果を制御部４に対して出力する。制御部４は、動き情報検出部２５により検出された被写体（電車）の動き情報に基づいて被写体の移動速度を検出する。
【００８９】
次に、制御部４は、再生時間Ｔａ後、元の動画像の中の少なくとも１枚のフレーム画像から形成される区間動画像及び元の音声の中の区間音声を表示部２０及びスピーカ２２において再生しない非再生時間Ｔｂ（時間ｔａ〜ｔｂの間）の長さを設定する（ステップＳ６４）。具体的には、制御部４は、ステップＳ６３において検出された被写体（電車）の移動速度の増大に応じて、即ち電車が加速するに従い、非表示時間Ｔｂを短く設定し、電車の移動速度の減少に応じて、即ち電車が減速するに従い、非表示時間Ｔｂを長く設定する。
【００９０】
そして、再生時間Ｔａ分（時間０〜ｔａの間）のバッファリングを終了した後（ステップＳ６５）、制御部４は、ステップＳ６４において設定された非再生時間Ｔｂ分（時間ｔａ〜ｔｂの間）の区間動画像の画像データ、及び区間音声の音声データをバッファリングせず、被写体（電車）のフレーム画像全体に対する大きさを検出する（ステップＳ６６）。具体的には、時間０〜ｔｂの間の区間動画像を形成する複数のフレーム画像の中の少なくとも１枚のフレーム画像（例えば、図８に示すフレーム画像３２，３４）を、大きさ情報検出用に解像度をリサイズし、大きさ情報検出部２６に対して出力する。大きさ情報検出部２６は、予め図示しないメモリ等に記憶されているテンプレート（電車のテンプレート）から、フレーム画像３２，３４内の電車を特定し、例えばフレーム画像全体の画素数に対する電車の占める画素数を算出し、算出結果に基づいて電車のフレーム画像全体に対する大きさを検出し、検出結果を制御部４に対して出力する。
【００９１】
次に、制御部４は、ステップＳ６６において検出した電車のフレーム画像全体に対する大きさが所定値以上であるか否かを判別する（ステップＳ６７）。所定値は、例えばフレーム画像全体に対して被写体の示す割合（被写体の面積、あるいはフレーム画像全体の縦方向、横方向、又は斜め方向の長さ）が５０％以上等、予め設定されており、図示しないメモリ等に記憶されている。ステップＳ６７において電車のフレーム画像全体に対する大きさが所定値以上でないと判別された場合には（ステップＳ６７、Ｎｏ）、制御部４は、ステップＳ６２の処理に戻り、ステップＳ６２〜Ｓ６４の処理を繰り返す。
【００９２】
即ち、元の動画像の中の時間ｔｂ〜ｔｃの間（再生時間Ｔｃ）の区間動画像の画像データを動画用バッファメモリ１２に、元の音声の中の時間ｔｂ〜ｔｃの間（再生時間Ｔｃ）の区間音声の音声データを音声用バッファメモリ１６に格納し、その間に時間ｔｂ〜ｔｃの間の区間動画像中の少なくとも２つのフレーム画像（例えば図８に示すフレーム画像３４，３６）から被写体の移動速度を検出する。そして、検出結果に基づいて非再生時間Ｔｄ（時間ｔｃ〜ｔｄの間）の長さを設定し、再生時間Ｔｃ分（時間ｔｂ〜ｔｃの間）のバッファリングを終了した後、非再生時間Ｔｄ分（時間ｔｃ〜ｔｄの間）の区間動画像の画像データ、及び区間音声の音声データをバッファリングせず、時間ｔｂ〜ｔｄの間の区間動画像中の少なくとも１枚のフレーム画像（例えば、図８に示すフレーム画像３６，３８）から被写体（電車）のフレーム画像全体に対する大きさを検出する。
【００９３】
一方、ステップＳ６７において電車のフレーム画像全体に対する大きさが所定値以上であると判別された場合には（ステップＳ６７、Ｙｅｓ）、制御部４は、非再生時間を０に設定する（ステップＳ６８）。そして、図１７に示すように、元の動画像の中の時間ｔｄ以降（再生時間Ｔｅ）の区間動画像の画像データの動画用バッファメモリ１２へのバッファリング、元の音声の中の時間ｔｄ以降（再生時間Ｔｅ）の区間音声の音声データの音声用バッファメモリ１６へのバッファリングを行う（ステップＳ６９）。なお、ステップＳ６２〜Ｓ６９の処理の間、表示部２０に砂時計の画像等を表示する等、ユーザーに対してシナリオ動画作成中であることを示す表示を行ってもよい。
【００９４】
次に、制御部４は、動画用バッファメモリ１２、音声用バッファメモリ１６のそれぞれにバッファリングされている動画像データ、音声データを順次読み出すことにより、シナリオ動画を再生する（ステップＳ７０）。即ち、図１７に示すように、まず、時間０〜ｔａの間（再生時間Ｔａ）の区間動画像及び区間音声を、次に、時間ｔｂ〜ｔｃの間（再生時間Ｔｃ）の区間動画像及び区間音声を、最後に、時間ｔｄ以降（再生時間Ｔｅ）の区間動画像及び区間音声を、表示部２０及びスピーカ２２において再生する。
【００９５】
次に、制御部４は、ステップＳ７０において再生したシナリオ動画の再再生を行うか否かを選択するための画面を表示部２０に表示し、ユーザーにより十字キー等を用いて「再再生」が選択され、ＯＫボタンが押下されると（ステップＳ７１、Ｙｅｓ）、ステップＳ７０の処理に戻る。一方、ユーザーにより「終了」等が選択されると（ステップＳ７１、Ｎｏ）、制御部４は、本実施の形態に係るシナリオ動画の再生を終了する。
【００９６】
なお、ステップＳ７０において再生されるシナリオ動画、即ち動画用バッファメモリ１２、音声用バッファメモリ１６のそれぞれに記憶されている動画像データ、音声データを一つのシナリオ動画の動画像ファイルとして記録媒体１８に記録することもできる。この場合には、制御部４は、例えばシナリオ動画の再生後、再生したシナリオ動画を記録媒体１８に記録するか否かを選択するための選択画面を表示部２０に表示し、ユーザーにより記録するよう指示がなされた場合に記録する。
【００９７】
第４の実施の形態に係る電子カメラ２によれば、記録媒体１８に記録されている動画像ファイルから区間動画像の再生と非再生とを自動的に繰り返すシナリオ動画、即ち連続的に移動している被写体が不連続に移動しているように再生される印象的な映像効果を有するシナリオ動画を容易に作成し、再生することができる。即ち、電子カメラ２に対して遠くから近付いてくる電車等の動画像から、より強力に電車が迫ってくる（スピード感のある）シナリオ動画を容易に作成し、再生することができる。また、最後の区間動画像及び区間音声が、再生時間Ｔａ，Ｔｃより長い再生時間Ｔｅの間連続して再生されるため、突然に終了することなく、鑑賞者に違和感を与えることなく、かつ最後のシーンを強く印象付けるシナリオ動画を作成及び再生することができる。
【００９８】
なお、第４の実施の形態では、被写体の移動速度に基づいて非再生時間を設定しているが、被写体の移動速度に基づいて再生時間を設定することもできる。この場合には、制御部４は、例えば、被写体の移動速度に対する再生時間の長さを予め設定しておき、それをテーブルとして図示しないメモリ等に記憶しておき、このテーブルを参照することにより再生時間の長さを設定する。具体的には、被写体の移動速度が大きくなるに従い再生時間を短くする。即ち、高速で移動する被写体については、再生時間を短くした場合においても被写体の移動している状態を再生することができ、かつ再生時間を短くすることにより再生と非再生との切換りの回数を多くすることができるため、シナリオ動画における特徴的な映像効果を十分に表現することができる。一方、被写体の移動速度が小さくなるに従い再生時間を長くする。即ち、低速で移動する被写体については、再生時間を長くすることにより再生と非再生との切換りの回数は減少するが、被写体の移動している状態を明確に再生することができるため、シナリオ動画における特徴的な映像効果を十分に表現することができる。
【００９９】
また、被写体の移動速度に基づいて再生時間及び非再生時間の両方を設定することもできる。この場合には、被写体の移動速度が大きくなるに従い再生時間及び非再生時間を短くする。即ち、再生と非再生との切換りを小刻みに行うことによりシナリオ動画における特徴的な映像効果を表現する。一方、被写体の移動速度が小さくなるに従い再生時間及び非再生時間を長くする。即ち、再生と非再生との切換りを穏やかに行うことによりシナリオ動画における特徴的な映像効果を表現する。
【０１００】
また、電子カメラ２に対して遠くから近くへ、または近くから遠くへ移動する被写体を撮影した動画像からシナリオ動画を作成する場合には、被写体の移動速度に代えて、被写体のフレーム画像全体に対する大きさに基づいて再生時間及び非再生時間の少なくとも一方を設定することもできる。この場合には、大きさ情報検出部２６により被写体の撮影画面に対する大きさを検出し、制御部４は、検出された被写体の撮影画面に対する大きさが大きくなる度合または小さくなる度合の増大に応じて再生時間及び非再生時間の少なくとも一方を短くし、被写体の撮影画面に対する大きさが大きくなる度合または小さくなる度合の減少に応じて再生時間及び非再生時間の少なくとも一方を長くする。
【０１０１】
また、電子カメラ２に対して遠くから近くへ、または近くから遠くへ移動する被写体を撮影した動画像からシナリオ動画を作成する場合には、被写体の移動速度に代えて、被写体からの光を撮像素子６に導く撮影レンズ（図示せず）の焦点距離情報に基づいて再生時間及び非再生時間の少なくとも一方を設定することもできる。この場合には、制御部４は、元の動画像ファイルに撮影情報として付加されている撮影レンズの焦点距離情報及び撮影時間情報を取得する。そして、取得した撮影レンズの焦点距離情報及び撮影時間情報に基づいて、撮影レンズの焦点距離の変化する度合を検出する。そして、撮影レンズの焦点距離が短くなる度合または長くなる度合の増大に応じて再生時間及び非再生時間の少なくとも一方を短くし、撮影レンズの焦点距離が短くなる度合または長くなる度合の減少に応じて再生時間及び非再生時間の少なくとも一方を長くする。
【０１０２】
また、電子カメラ２において動画像を撮影し、その動画像データを記録媒体１８に記録する際に、撮影情報として被写体の速度情報及び撮影時間情報を付加して記録媒体１８に記録し、記録されている速度情報及び撮影時間情報に基づいて、再生時間及び非再生時間の少なくとも一方を設定してもよい。電子カメラ２に対して遠くから近くへ、または近くから遠くへ移動する被写体を撮影した動画像からシナリオ動画を作成する場合には、撮影情報として付加される被写体の速度情報は、電子カメラ２において動画像を撮影する際に、例えば電子カメラ２が備える瞳分割位相差検出方式によるオート−フォーカス機能により検出される被写体の動き情報から得られる被写体までの距離及び時間に基づいて算出される。
【０１０３】
また、再生時間及び非再生時間の両方を予め設定する構成にしてもよい。この場合には、動き情報検出部２５及び大きさ情報検出部２６を備えていなくとも、第４の実施の形態において作成及び再生されたシナリオ動画と同様にシナリオ動画を容易に撮影することができる。
【０１０４】
なお、第４の実施の形態においては、大きさ情報検出部２６の検出結果に基づいて非再生時間を０に設定しているが、再生及び非再生の回数（所定回数）を予め設定し、図１６に示すステップＳ６６及びＳ６７の処理に代えて、所定回数の再生時間分の区間動画像及び区間音声のバッファリングを行ったか否かを判別し、判別結果に基づいて非再生時間を０に設定してもよい。具体的には、所定回数を予め設定し、図示しないメモリ等に記憶させる。例えば、所定回数が２回に設定されているものとする。この場合には、制御部４は、区間動画像及び区間音声のバッファリングを２回行っていない（１回しか行っていない）と判別した場合には、図１６に示すステップＳ６２の処理に戻り、区間動画像及び区間音声のバッファリングを２回行ったと判別されるまでステップＳ６２〜Ｓ６５の処理を繰り返す。そして、区間動画像及び区間音声のバッファリングを２回行ったと判別した場合には、図１６に示すステップＳ６８〜Ｓ７１の処理を行う。この場合には、区間動画像及び区間音声の再生及び非再生の回数が予め設定されているため、大きさ情報検出部２６を備えていなくとも、第４の実施の形態において作成及び再生されたシナリオ動画と同様のシナリオ動画を容易に撮影することができる。
【０１０５】
また、再生時間、非再生時間及び所定回数の少なくとも１つが予め設定されており、予め設定された再生時間、非再生時間及び所定回数の少なくとも１つをデフォルトとし、再生時間、非再生時間及び所定回数の少なくとも１つを変更可能に構成することもできる。この場合には、メニューの中のメニュー項目に再生時間、非再生時間及び所定回数の少なくとも１つを設定する項目を加え、シナリオ動画を作成する前に、メニュー画面を表示部２０に表示し、十字キー等を用いて操作することにより再生時間、非再生時間及び所定回数の少なくとも１つの設定を行う。
【０１０６】
また、元の動画像ファイルを選択した後に、再生時間、非再生時間及び所定回数を設定する設定画面を表示部２０に表示してもよい。ユーザーにより、設定画面上において十字キー等を用いて、再生時間、非再生時間及び所定回数が設定され、ＯＫボタンが押下されると、制御部４は、シナリオ動画の作成を開始する。
【０１０７】
なお、十字キーやＯＫボタンを用いる代わりに、電子カメラ２にタッチパネルＩ／Ｆ、及びタッチパネルＩ／Ｆに接続され、表示部２０の表示画面上に設けられるタッチパネルを備え、このタッチパネルを用いて設定画面上において再生時間、非再生時間及び所定回数を設定する構成にしてもよい。この場合には、制御部４は、タッチパネル（表示部２０の表示画面）上に例えばユーザーの指、ペン等で触れることによりタッチパネルＩ／Ｆを介して認識し、認識結果に基づいた処理を行う。
【０１０８】
また、区間動画像及び区間音声の再生及び非再生を行う回数を予め設定する代わりに、区間動画像及び区間音声の再生及び非再生を行う所定時間（＞元の動画像の全再生時間Ｔ）を予め設定する構成にしてもよい。この場合には、制御部４は、区間動画像及び区間音声の再生及び非再生を所定回数行ったか否かを判別する代わりに、区間動画像及び区間音声の再生及び非再生を所定時間行ったか否かを判別する。
【０１０９】
なお、上述のように、再生時間、非再生時間、及び所定回数（所定時間）の少なくとも１つを手動で設定する場合には、設定可能な範囲外の時間や回数（例えば、所定時間が元の動画像の全再生時間Ｔを超える場合等）をユーザーが設定できないよう制御する構成にするとよい。
【０１１０】
また、第４の実施の形態においては、図１７に示す最後の区間動画像及び区間音声が再生される再生時間Ｔｅ（再生時間Ｔａ，Ｔｃより長い時間）を設定する構成になっていないが、再生時間Ｔｅを予め設定することができる構成にしてもよい。この場合には、元の動画像の全再生時間Ｔから再生時間Ｔｅを差し引いた時間（図１７では時間０から時間ｔｄまで）の間、再生時間分の区間動画像及び区間音声のバッファリングを繰り返し、最後に再生時間Ｔｅ分の区間動画像及び区間音声のバッファリングを行う。
【０１１１】
また、第４の実施の形態においては、図１７に示すように、再生時間分の区間動画像及び区間音声のバッファリングを所定回数繰り返した後、最後の区間動画像及び区間音声を再生時間分より長い時間（図１７では再生時間Ｔａ，Ｔｃより長い時間Ｔｅ）バッファリングしているが、再生時間分の区間動画像及び区間音声のバッファリングを、元の動画像が終了するまで繰り返すこともできる。また、最初の区間動画像及び区間音声を再生時間分より長い時間バッファリングした後、再生時間分の区間動画像及び区間音声のバッファリングを繰り返すこともできる。
【０１１２】
また、第４の実施の形態においては、区間動画像に対応する区間音声の音声データをバッファリングし、区間動画像と共に対応する区間音声を再生しているが、区間音声の音声データをバッファリングせず、区間動画像の動画像データのみをバッファリングし、区間動画像のみを再生してもよい。または、区間音声の音声データをバッファリングせず、区間動画像の動画像データのみをバッファリングし、区間動画像と共に、任意の音楽または音声（予め電子カメラ２の図示しないメモリ等に記憶されている音楽または音声であって、ユーザーにより選択されたもの若しくは制御部４により自動選択されたもの）を再生してもよい。この場合には、複数の区間動画像を連結した不連続な動画像に合わせて不連続な音楽（又は音声）にする必要はなく、途切れのない音楽（連続的な音楽）を再生するのが好ましい。更に言えばシナリオ動画の再生終了間際に音楽（又は音声）が突然終了すると不自然な印象を与えるので、シナリオ動画の再生終了に合わせて音楽（又は音声）をフェードアウトさせて再生するのが好ましい。また場合によっては、シナリオ動画の再生開始合わせて音楽（又は音声）をフェードインさせながら再生するのが好ましい。
【０１１３】
また、第４の実施の形態では、図８に示すような電子カメラ２に対して電車が遠くから近付いてくる動画像からシナリオ動画を作成しているが、例えば図１０に示すような撮影画面に対して被写体（人）が横方向に移動する動画像からシナリオ動画を作成することもできる。
【０１１４】
また、第４の実施の形態では、元の動画像の最初から最後まで（全部）についてシナリオ動画を作成し、再生しているが、元の動画像の一部についてシナリオ動画を作成し、再生することもできる。元の動画像のシナリオ動画を作成する部分は、例えばユーザー操作により指定されるようにしてもよい。または、元の動画像内の被写体が動いている部分のみについてシナリオ動画を作成し、再生する構成にしてもよい。
【０１１５】
また、第４の実施の形態においては、画像処理装置として電子カメラ２を例に挙げて説明したが、電子カメラに限らず、撮像装置等により撮影された動画像に対して画像処理可能なパソコン等の他の画像処理装置においても本発明を適用することができる。また、第３の実施の形態においては、電子カメラ２により撮影され、記録媒体１８に記録された動画像を用いてシナリオ動画を作成し、再生しているが、他の撮像装置等により撮影され、記録媒体に記録された動画像を用いて、電子カメラ２によりシナリオ動画を作成し、再生することもできる。
【符号の説明】
【０１１６】
２…電子カメラ、４…制御部、６…撮像素子、８…アンプ・Ａ／Ｄ変換部、１０…マイク、１２…動画用バッファメモリ、１４…静止画用バッファメモリ、１６…音声用バッファメモリ、１８…記録媒体、２０…表示部、２２…スピーカ、２４…操作部、２５…動き情報検出部、２６…大きさ情報検出部。
【図１】
2011103642.tif 000003
【図２】
2011103642.tif 000004
【図３】
2011103642.tif 000005
【図４】
2011103642.tif 000006
【図５】
2011103642.tif 000007
【図６】
2011103642.tif 000008
【図７】
2011103642.tif 000009
【図８】
2011103642.tif 000010
【図９】
2011103642.tif 000011
【図１０】
2011103642.tif 000012
【図１１】
2011103642.tif 000013
【図１２】
2011103642.tif 000014
【図１３】
2011103642.tif 000015
【図１４】
2011103642.tif 000016
【図１５】
2011103642.tif 000017
【図１６】
2011103642.tif 000018
【図１７】
2011103642.tif 000019